(57)【要約】【課題】可視光を照射する光源と不可視光を照射する光源との双方を搭載する場合でも両照射範囲のずれに起因する読取性能の低下を抑制可能な構成を提供する。【解決手段】情報コードＣからの反射光を長方形状の受光面２３ａにて受光するエリアセンサ２３と、このエリアセンサ２３による撮像視野ＡＲに向けて照明光として可視光を照射する第１光源２１と不可視光を照射する第２光源２２とが設けられており、第１光源２１及び第２光源２２は、受光面２３ａの短手方向（Ｘ方向）に沿い一列に配置される。【選択図】図６
2019040491.tif 000002
【特許請求の範囲】
【請求項１】
情報コードからの反射光を長方形状の受光面にて受光するエリアセンサを備え、前記エリアセンサから出力される信号に基づいて前記情報コードを光学的に読み取る光学的情報読取装置であって、
前記エリアセンサによる撮像視野に向けて照明光として可視光を照射する第１光源と不可視光を照射する第２光源とを備え、
前記第１光源及び前記第２光源は、前記受光面の短手方向に沿い一列に配置されることを特徴とする光学的情報読取装置。
【請求項２】
前記第１光源及び前記第２光源は、前記第１光源と前記第２光源との間に前記エリアセンサの受光光軸が位置するように配置されることを特徴とする請求項１に記載の光学的情報読取装置。
【請求項３】
前記情報コードからの反射光を集光して前記受光面に結像させる結像レンズを備え、
前記第１光源及び前記第２光源は、前記結像レンズに対して前記受光面の長手方向にずれるように配置されることを特徴とする請求項１に記載の光学的情報読取装置。
【請求項４】
前記第１光源及び前記第２光源は、同一の基板上に実装されることを特徴とする請求項１〜３のいずれか一項に記載の光学的情報読取装置。
【請求項５】
前記第１光源に用いられる照明レンズと前記第２光源に用いられる照明レンズとが一体に成形されていることを特徴とする請求項１〜４のいずれか一項に記載の光学的情報読取装置。
【請求項６】
ユーザから見て前記第１光源による照射範囲が前記第２光源による照射範囲よりも下側に位置するように、前記第１光源及び前記第２光源が配置されていることを特徴とする請求項１〜５のいずれか一項に記載の光学的情報読取装置。
【発明の詳細な説明】
【技術分野】
【０００１】
本発明は、光学的情報読取装置に関するものである。
【背景技術】
【０００２】
近年、ＱＲコード（登録商標）などの二次元コードの普及に応じて、小売店などでクーポンなどの読み取りニーズが高まる一方、公共の宿泊施設、ロッカー、鉄道、医療関連では、情報コードを暗号化用として使用したり真贋判定用として使用する等、セキュリティ対策用として導入するケースが増えてきている。このような用途では、従来の照明光として利用する可視光に加えて、赤外光等の不可視光を利用することで、セキュリティ性向上を図っている読取装置もある。また、通常は可視光を照明光として使用し、照明光を多くの人が視認しやすい公共の場等では、眩しいと感じさせなくするために赤外光等の不可視光に切り替えて使用されることも多い。
【０００３】
このように、２種類の照明光を用いる光学的情報読取装置に関する技術として、例えば、下記特許文献１に開示される読取装置が知られている。この読取装置は、２つの異なる光源から近赤外光及び赤外光が同時に照射されることにより発生するアップコンバージョンを利用することで、二次元透明バーコードからの反射光を受光した際に高出力かつ高Ｓ／Ｎ比を有する信号を読み取ることが可能となり、情報識別能力を向上させている。
【先行技術文献】
【特許文献】
【０００４】
【特許文献１】特開２０１０−０３９９５８号公報
【発明の概要】
【発明が解決しようとする課題】
【０００５】
ところで、可視光を照射する光源と赤外光等の不可視光を照射する光源との双方が搭載される読取装置では、受光センサとそれぞれの光源との配置の制約等のため、通常、撮像視野（結像視野）に対する可視光の照射範囲と不可視光の照射範囲とが異なる。このため、可視光が照射される状態から不可視光が照射される状態に切り替わった場合、不可視光の照射範囲を視認できないことから可視光が照射されていた照射範囲を読み取り可能な範囲として読み取り作業を行うと、その情報コードに不可視光が適切に照射されないために、不可視光を照射した状態での読み取りが失敗してしまうという問題がある。この問題は、可視光と不可視光とを同時に情報コードに照射してその情報コードを読み取る場合でも同様に生じる場合がある。特に、近距離に位置する情報コードを読み取る場合では、可視光の照射範囲と不可視光の照射範囲との位置ずれが大きくなり、上記問題が顕著となる。
【０００６】
本発明は、上述した課題を解決するためになされたものであり、その目的とするところは、可視光を照射する光源と不可視光を照射する光源との双方を搭載する場合でも両照射範囲のずれに起因する読取性能の低下を抑制可能な構成を提供することにある。
【課題を解決するための手段】
【０００７】
上記目的を達成するため、特許請求の範囲の請求項１に記載の発明は、
情報コード（Ｃ）からの反射光を長方形状の受光面（２３ａ）にて受光するエリアセンサ（２３）を備え、前記エリアセンサから出力される信号に基づいて前記情報コードを光学的に読み取る光学的情報読取装置（１０）であって、
前記エリアセンサによる撮像視野（ＡＲ）に向けて照明光として可視光（Ｌｆ１）を照射する第１光源（２１）と不可視光（Ｌｆ２）を照射する第２光源（２２）とを備え、
前記第１光源及び前記第２光源は、前記受光面の短手方向に沿い一列に配置されることを特徴とする。
なお、上記各括弧内の符号は、後述する実施形態に記載の具体的手段との対応関係を示すものである。
【発明の効果】
【０００８】
請求項１の発明では、情報コードからの反射光を長方形状の受光面にて受光するエリアセンサと、このエリアセンサによる撮像視野に向けて照明光として可視光を照射する第１光源と不可視光を照射する第２光源とが設けられており、第１光源及び第２光源は、受光面の短手方向に沿い一列に配置される。
【０００９】
これにより、受光面の形状に応じて長方形状となる撮像視野に対して、可視光の照射範囲と不可視光の照射範囲とが撮像視野の長手方向に関してずれ難くなる。通常、バーコードのように一方向に長い情報コードを読み取る際、その情報コードの長手方向が撮像視野の長手方向、すなわち読取口の長手方向に一致するように読取口を情報コードに向けた状態になる。この状態では、情報コードに対して可視光の照射範囲と不可視光の照射範囲とが撮像視野の長手方向ではずれないので、両照射範囲が撮像視野の長手方向にてずれているために生じる読み取り失敗、例えば、不可視光が情報コードの長手方向一側に照射されている一方で長手方向他側に照射されていないために生じる読み取り失敗等を抑制することができる。したがって、可視光を照射する第１光源と不可視光を照射する第２光源との双方を搭載する場合でも両照射範囲のずれに起因する読取性能の低下を抑制することができる。
【００１０】
請求項２の発明では、第１光源及び第２光源は、第１光源と第２光源との間にエリアセンサの受光光軸が位置するように配置される。これにより、撮像視野の中心と可視光の照射範囲の中心と不可視光の照射範囲の中心とが、撮像視野の短手方向において一致するように近づくので、撮像視野と両照射範囲とのずれをさらに小さくでき、読取性能を向上させることができる。
【００１１】
請求項３の発明では、第１光源及び第２光源は、結像レンズに対して受光面の長手方向にずれるように配置される。これにより、第１光源と第２光源とを受光面の短手方向にて近づけるように配置しても結像レンズに干渉することもないので、第１光源と第２光源とを近づけるように配置したことによる装置の小型化を図ることができる。
【００１２】
請求項４の発明では、第１光源及び第２光源は、同一の基板上に実装されるため、第１光源と第２光源との位置ずれを抑制できるだけでなく、第１光源と第２光源とをコンパクトに配置しやすくなり、装置の小型化を図ることができる。
【００１３】
請求項５の発明では、第１光源に用いられる照明レンズと第２光源に用いられる照明レンズとが一体に成形されるため、照明レンズに関して部品点数を削減できるだけでなく、第１光源と第２光源とをコンパクトに配置しやすくなり、装置の小型化を図ることができる。
【００１４】
請求項６の発明では、ユーザから見て第１光源による照射範囲が第２光源による照射範囲よりも下側に位置するように、第１光源及び第２光源が配置される。
通常、所定の表示面に表示された情報コードに読取口を向ける場合、ユーザは、読取口を介して情報コードを見ながら読み取り作業を行うため、所定の表示面は、受光光軸に対してその上側が読取口から離れるように相対的に傾斜した状態になりやすい。この状態では、所定の表示面を介した折り返し視野が受光光軸に対して上側となるため、その用途上、光強度が不可視光よりも強くなる可視光を照射する第１光源が受光光軸に対して上側に位置していると、上記折り返し視野に第１光源が入りやすくなる。すなわち、上記所定の表示面にて反射した可視光が映り込みやすくなるため、撮像した情報コード上に可視光が映り込んでいると読取性能が低下してしまう可能性がある。
【００１５】
そこで、ユーザから見て第１光源による照射範囲が第２光源による照射範囲よりも下側に位置するように、第１光源及び第２光源を配置することで、上記所定の表示面を介した折り返し視野に第１光源が入り難くなり、光強度が強い可視光の映り込みに起因する読取性能の低下を抑制することができる。
【図面の簡単な説明】
【００１６】
【図１】本発明の第１実施形態に係る光学的情報読取装置を概略的に示す斜視図である。
【図２】図１の光学的情報読取装置の右側面図である。
【図３】図１の光学的情報読取装置の正面図である。
【図４】図１の光学的情報読取装置の電気的構成を概略的に示すブロック図である。
【図５】第１実施形態において受光光軸に対して直交する方向であって第１光源側から見た第１光源とエリアセンサとの位置関係を説明する説明図である。
【図６】第１実施形態において読取口側から見た両光源とエリアセンサとの位置関係を説明する説明図である。
【図７】読み取り作業時における所定の表示面の情報コードと光学的情報読取装置との角度を説明する説明図であり、図７（Ａ）は、手持ちのラベル等における所定の表示面の情報コードを読み取る場合を示し、図７（Ｂ）は、机上のラベル等における所定の表示面の情報コードＣを読み取る場合を示す。
【図８】所定の表示面を介した折り返し視野と受光光軸との関係を説明する説明図であり、図８（Ａ）は、第１光源が受光光軸に対して下側に位置している状態を示し、図８（Ｂ）は、第１光源が受光光軸に対して上側に位置している状態を示す。
【図９】図９（Ａ）は、図８（Ａ）の状態にて情報コードを撮像した撮像状態を説明する説明図であり、図９（Ｂ）は、図８（Ｂ）の状態にて情報コードを撮像した撮像状態を説明する説明図である。
【図１０】第２実施形態において受光光軸に対して直交する方向であって第１光源側からから見た第１光源とエリアセンサとの位置関係を説明する説明図である。
【図１１】第２実施形態において読取口側から見た両光源とエリアセンサとの位置関係を説明する説明図である。
【発明を実施するための形態】
【００１７】
［第１実施形態］
以下、本発明の第１実施形態に係る光学的情報読取装置について、図面を参照して説明する。
図１〜図４に示す光学的情報読取装置１０は、１又は２以上の情報コード（一次元コードや二次元コード等）を光学的に読み取るコードリーダとして構成されるものであり、いわゆるガンタイプとしての外観をなし、ＡＢＳ樹脂等の合成樹脂からなるケース１１の内部に各種電気部品等からなる回路部２０が収容されている。
【００１８】
光学的情報読取装置１０は、図１〜図３に示すように、端部に照明光及びその反射光を通過させる読取口１３が形成されてなる本体部１２と、本体部１２における読取口１３が形成される部位とは異なる部位に連結されて使用者によって把持される把持部１５と、を備えている。読取口１３は、図３に示すように、左右方向の長さが上下方向の長さよりも短くなるように略長方形状に開口するように形成されている。本体部１２における読取口１３の下部には延出部１４が設けられており、この延出部１４は、その延出端部１４ａを情報コードが付された読取対象に接触させてもその情報コードや後述するマーカ光を上方から視認できるように、上部が開口した略Ｕ字状となるように形成されている。把持部１５は、本体部１２の下側の壁部から下方に延びており、把持部１５の上端部付近に押圧操作可能なトリガースイッチ４２が配置され、把持部１５の下端部付近にはインタフェース用のケーブル（図示略）が組み付けられる構造となっている。
【００１９】
次に、光学的情報読取装置１０の電気的構成について、図４を参照して説明する。
図４に示すように、ケース１１に収容される回路部２０は、主に、第１光源２１、第２光源２２、エリアセンサ２３、結像レンズ２５等の光学系と、メモリ３５、制御部４０等のマイクロコンピュータ（以下「マイコン」という）系とを備えている。
【００２０】
光学系は、投光光学系と、受光光学系とに分かれている。投光光学系は、一対の光源として第１光源２１及び第２光源２２を備えるように構成されている。第１光源２１は、例えば波長３８０ｎｍ〜７５０ｎｍの可視光Ｌｆ１を照射するＬＥＤ２１ａとこのＬＥＤ２１ａの出射側に設けられる照明レンズとを備えるように構成されている。また、第２光源２２は、波長７５０ｎｍ以上の赤外光等のように視認不能な不可視光Ｌｆ２を照射するＬＥＤ２２ａとこのＬＥＤ２２ａの出射側に設けられる照明レンズとを備えるように構成されている。
【００２１】
受光光学系は、エリアセンサ２３、結像レンズ２５などによって構成されている。エリアセンサ２３は、例えば、Ｃ−ＭＯＳやＣＣＤ等の固体撮像素子である受光素子を二次元に配列した長方形状の受光面２３ａを有する受光センサとして情報コードＣを撮像可能に構成されるものであり、受光した情報コードの各セル（パターン）ごとに反射光Ｌｒの強度に応じた電気信号を出力するように構成されている。このエリアセンサ２３は、結像レンズ２５を介して入射する入射光を受光可能にセンサ基板５１に実装されている。
【００２２】
結像レンズ２５は、１又は２以上のレンズを有するように構成されており、外部から読取口１３を介して入射する入射光を集光してエリアセンサ２３の受光面２３ａに像を結像可能な結像光学系として機能するものである。本実施形態では、情報コードＣやこの情報コードＣが付された所定の表示面Ｒからの反射光Ｌｒを結像レンズ２５で集光し、エリアセンサ２３の受光面２３ａにコード像を結像させている。このように構成される光学系の詳細な配置構成については後述する。
【００２３】
マイコン系は、増幅回路３１、Ａ／Ｄ変換回路３３、メモリ３５、アドレス発生回路３６、同期信号発生回路３８、制御部４０、トリガースイッチ４２、発光部４３、ブザー４４、バイブレータ４５、通信インタフェース４８等から構成されている。
【００２４】
光学系のエリアセンサ２３から出力される画像信号（アナログ信号）は、増幅回路３１に入力されることで所定ゲインで増幅され、その後、Ａ／Ｄ変換回路３３に入力されてアナログ信号からディジタル信号に変換される。そして、ディジタル化された画像信号、つまり画像データ（画像情報）は、ＲＯＭ、ＲＡＭなどの公知の記憶媒体によって構成されたメモリ３５に入力され、所定の格納領域に蓄積される。なお、同期信号発生回路３８は、エリアセンサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２５】
制御部４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御部４０は、エリアセンサ２３によって撮像されてメモリ３５に記憶される情報コードのコード画像について解読処理（デコード）を行うように機能する。また、制御部４０は、内蔵された入出力インタフェースを介して種々の入出力装置と接続可能に構成されており、本実施形態の場合、トリガースイッチ４２、発光部４３、ブザー４４、バイブレータ４５、通信インタフェース４８等が接続されている。これにより、例えば、トリガースイッチ４２の監視や管理、発光部４３の点灯、非点灯、ビープ音やアラーム音を発生可能なブザー４４の鳴動のオンオフ、バイブレータ４５の駆動制御、通信インタフェース４８の制御等を可能にしている。
【００２６】
次に、上述のように設けられる光学系の詳細配置構成等について、図５〜図９を参照して詳述する。なお、受光面２３ａの短手方向をＸ方向、受光面２３ａの長手方向をＹ方向、Ｘ方向及びＹ方向の双方に直交する方向（受光光軸方向）をＺ方向として、以下説明する。
【００２７】
本実施形態における光学系は、エリアセンサ２３が実装されるセンサ基板５１やＬＥＤ２１ａが実装される第１照明基板５２、ＬＥＤ２２ａが実装される第２照明基板５３等がホルダ５０の所定位置に固定されている。これにより、図５及び図６に示す位置関係にて、第１光源２１及び第２光源２２やエリアセンサ２３及び結像レンズ２５が配置される。
【００２８】
より具体的には、図６に示すように、第１光源２１及び第２光源２２は、受光面２３ａの短手方向（Ｘ方向）に沿うように一列であって、第１光源２１と第２光源２２とから等間隔となる位置に結像レンズ２５が配置されることで、第１光源２１と第２光源２２との間にエリアセンサ２３の受光光軸Ｌが位置するように配置される。このため、受光光軸Ｌと第１光源２１の投光光軸Ｌ１と第２光源２２の投光光軸Ｌ２とが受光面２３ａの短手方向において一致する。すなわち、ＬＥＤ２１ａから受光光軸Ｌまでの距離とＬＥＤ２２ａから受光光軸Ｌまでの距離とが等しくなるように、第１光源２１及び第２光源２２が配置される。
【００２９】
上述のような位置関係にてセンサ基板５１や第１照明基板５２及び第２照明基板５３等が固定されたホルダ５０は、受光面２３ａの長手方向（Ｙ方向）が読取口１３の左右方向と略平行となるようにして、ケース１１内に収容される。これにより、受光面２３ａの形状に応じて長方形状となるエリアセンサ２３の撮像視野ＡＲは、読取口１３と同様に、左右方向が長手方向となり、可視光Ｌｆ１の照射範囲と不可視光Ｌｆ２の照射範囲とは、中心位置が左右方向にてほぼ一致してずれ難くなり、上下方向にずれる状態となる。
【００３０】
通常、バーコードのように一方向に長い情報コードを読み取る際、その情報コードの長手方向が撮像視野ＡＲの長手方向、すなわち読取口１３の長手方向に一致するように読取口１３を情報コードに向けた状態になる。そのため、本実施形態と異なり、両照射範囲が撮像視野ＡＲの長手方向にてずれていると、例えば、不可視光Ｌｆ２がバーコードの長手方向一側に照射されている一方で長手方向他側に照射されていないために読み取り失敗してしまう場合がある。
【００３１】
この問題に対して、本実施形態では、情報コードＣに対して可視光Ｌｆ１の照射範囲と不可視光Ｌｆ２の照射範囲とが撮像視野ＡＲの長手方向ではずれないので、両照射範囲が撮像視野ＡＲの長手方向にてずれているために生じる上述のような読み取り失敗等を抑制することができる。
【００３２】
特に、本実施形態では、ユーザから見て第１光源２１による照射範囲が第２光源２２による照射範囲よりも下側に位置するように、第１光源２１及び第２光源２２が配置されている。すなわち、第１光源２１が第２光源２２よりも下側に位置するようにしてホルダ５０がケース１１内に収容される。
【００３３】
ここで、上述のように第１光源２１を第２光源２２よりも下側に位置させる理由について、図７〜図９を参照して説明する。
通常、ラベル等の所定の表示面Ｒに表示された情報コードＣに読取口１３を向ける場合、ユーザは、読取口１３を介して情報コードＣを見ながら読み取り作業を行う。このため、例えば、図７（Ａ）に示すように手持ちのラベル等における所定の表示面Ｒの情報コードＣを読み取る場合や図７（Ｂ）に示すように机上のラベル等における所定の表示面Ｒの情報コードＣを読み取る場合のように、所定の表示面Ｒは、受光光軸Ｌに対してその上側が読取口１３から離れるように相対的に傾斜した状態になりやすい。
【００３４】
この状態では、撮像視野ＡＲに関して所定の表示面Ｒを介した折り返し視野ＡＲ１が受光光軸Ｌに対して上側となるため、図８（Ｂ）に示すように、その用途上、光強度が不可視光Ｌｆ２よりも強くなる可視光Ｌｆ１を照射する第１光源２１が受光光軸Ｌに対して上側に位置していると、折り返し視野ＡＲ１に第１光源２１が入りやすくなる。すなわち、上記所定の表示面Ｒにて反射した可視光Ｌｆ１が映り込みやすくなるため、図９（Ｂ）に示すように、撮像した情報コードＣ上に可視光Ｌｆ１が映り込んでいると読取性能が低下してしまう可能性がある。
【００３５】
そこで、第１光源２１を受光光軸Ｌに対して下側に位置させるため、ユーザから見て第１光源２１による照射範囲が第２光源２２による照射範囲よりも下側に位置するように、第１光源２１及び第２光源２２を配置する（図６参照）。これにより、図８（Ａ）に示すように、所定の表示面Ｒを介した折り返し視野ＡＲ１に第１光源２１が入り難くなり、図９（Ａ）に示すように、撮像した情報コードＣ上に可視光Ｌｆ１が映り込むこともなく、光強度が強い可視光Ｌｆ１の映り込みに起因する読取性能の低下を抑制することができる。
【００３６】
以上説明したように、本実施形態に係る光学的情報読取装置１０では、情報コードＣからの反射光を長方形状の受光面２３ａにて受光するエリアセンサ２３と、このエリアセンサ２３による撮像視野ＡＲに向けて照明光として可視光Ｌｆ１を照射する第１光源２１と不可視光Ｌｆ２を照射する第２光源２２とが設けられており、第１光源２１及び第２光源２２は、受光面２３ａの短手方向（Ｘ方向）に沿い一列に配置される。
【００３７】
これにより、受光面２３ａの形状に応じて長方形状となる撮像視野ＡＲに対して、可視光Ｌｆ１の照射範囲と不可視光Ｌｆ２の照射範囲とが撮像視野ＡＲの長手方向に関してずれ難くなり、両照射範囲が撮像視野ＡＲの長手方向にてずれているために生じる読み取り失敗を抑制することができる。したがって、可視光Ｌｆ１を照射する第１光源２１と不可視光Ｌｆ２を照射する第２光源２２との双方を搭載する場合でも両照射範囲のずれに起因する読取性能の低下を抑制することができる。
【００３８】
さらに、第１光源２１及び第２光源２２は、第１光源２１と第２光源２２との間にエリアセンサ２３の受光光軸Ｌが位置するように配置される。これにより、撮像視野ＡＲの中心と可視光Ｌｆ１の照射範囲の中心と不可視光Ｌｆ２の照射範囲の中心とが、撮像視野ＡＲの短手方向において一致するように近づくので、撮像視野ＡＲと両照射範囲とのずれをさらに小さくでき、読取性能を向上させることができる。
【００３９】
特に、ユーザから見て第１光源２１による照射範囲が第２光源２２による照射範囲よりも下側に位置するように、第１光源２１及び第２光源２２が配置される。これにより、上述のように所定の表示面Ｒを介した折り返し視野ＡＲ１に第１光源２１が入り難くなり、光強度が強い可視光Ｌｆ１の映り込みに起因する読取性能の低下を抑制することができる。
【００４０】
［第２実施形態］
次に、本第２実施形態に係る光学的情報読取装置について、図１０及び図１１を参照して説明する。
本第２実施形態では、第１光源２１及び第２光源２２を同一基板上に実装する点が、上記第１実施形態と主に異なる。
【００４１】
具体的には、図１０及び図１１に示すように、照明基板５４上にＬＥＤ２１ａ及びＬＥＤ２２ａが実装されることで、第１光源２１及び第２光源２２は、受光面２３ａの短手方向（Ｘ方向）に沿うように一列であって、結像レンズ２５に対して受光面２３ａの長手方向（Ｙ方向）にずれて互いに近接し、ＬＥＤ２１ａから受光光軸Ｌまでの距離とＬＥＤ２２ａから受光光軸Ｌまでの距離とが等しくなるように配置される。特に、本実施形態では、このように第１光源２１及び第２光源２２が近接して配置されるため、第１光源２１の照明レンズと第２光源２２の照明レンズとを一体に成形した照明レンズ２７が採用されている。なお、図１０及び図１１では、照明レンズ２７の概略的な位置を破線にて図示している。
【００４２】
このように、第１光源２１及び第２光源２２は、結像レンズ２５に対して受光面２３ａの長手方向にずれるように配置されることで、上記第１実施形態の場合よりも、第１光源２１と第２光源２２とを受光面２３ａの短手方向にて近づけるように配置しても結像レンズ２５に干渉することもない。これにより、第１光源２１と第２光源２２とを近づけるように配置したことによるホルダ５０の省スペース化にともない、光学的情報読取装置１０の小型化を図ることができる。
【００４３】
さらに、第１光源２１及び第２光源２２は、同一の照明基板５４上に実装されるため、第１光源２１と第２光源２２との位置ずれを抑制できるだけでなく、第１光源２１と第２光源２２とをコンパクトに配置しやすくなり、光学的情報読取装置１０の小型化を図ることができる。
【００４４】
特に、第１光源２１に用いられる照明レンズと第２光源２２に用いられる照明レンズとが照明レンズ２７として一体に成形されるため、照明レンズに関して部品点数を削減できるだけでなく、第１光源２１と第２光源２２とをコンパクトに配置しやすくなり、光学的情報読取装置１０の小型化を図ることができる。
【００４５】
なお、第１光源２１及び第２光源２２を同一の基板上に実装する構成や第１光源２１及び第２光源２２に用いる照明レンズを一体成形する構成等は、他の実施形態等にも適用することができる。
【００４６】
なお、本発明は上記各実施形態及び変形例に限定されるものではなく、例えば、以下のように具体化してもよい。
【００４７】
（１）図６や図１１に示すように、第１光源２１を第２光源２２よりも下側に位置させるように配置することに限らず、例えば、所定の表示面Ｒを介した折り返し視野ＡＲ１が受光光軸Ｌに対して下側となりやすい読み取り作業環境等では、第１光源２１を第２光源２２よりも上側に位置させるように配置してもよい。
【００４８】
（２）第１光源２１及び第２光源２２は、受光面２３ａの短手方向（Ｘ方向）に沿い一列に配置される際、上述したようにＬＥＤ２１ａから受光光軸Ｌまでの距離とＬＥＤ２２ａから受光光軸Ｌまでの距離とが等しくなるように配置されることに限らず、ＬＥＤ２１ａから受光光軸Ｌまでの距離がＬＥＤ２２ａから受光光軸Ｌまでの距離よりも長くなるように配置されてもよいし、逆にＬＥＤ２２ａから受光光軸Ｌまでの距離がＬＥＤ２１ａから受光光軸Ｌまでの距離よりも長くなるように配置されてもよい。
【００４９】
（３）本発明は、ガンタイプの外観を有する光学的情報読取装置に適用されることに限らず、様々な外観を有する光学的情報読取装置、例えば、略箱状の外観を有する光学的情報読取装置に適用されてもよい。また、本発明は、情報コードを光学的に読み取る光学的情報読取装置に適用されることに限らず、公知の記号認識処理機能（ＯＣＲ）を利用することで文字情報等を光学的に読み取る光学的情報読取装置に適用されてもよいし、情報コード等を光学的に読み取る機能に加えて他の機能、例えば、無線通信媒体と無線通信する無線通信機能等を兼備する情報読取装置に適用されてもよい。
【符号の説明】
【００５０】
１０…光学的情報読取装置
２１…第１光源
２２…第２光源
２３…エリアセンサ
２３ａ…受光面
２５…結像レンズ
ＡＲ…撮像視野
ＡＲ１…折り返し視野
Ｃ…情報コード
Ｌ…受光光軸
Ｌｆ１…可視光
Ｌｆ２…不可視光
Ｒ…所定の表示面
【図１】
2019040491.tif 000003
【図２】
2019040491.tif 000004
【図３】
2019040491.tif 000005
【図４】
2019040491.tif 000006
【図５】
2019040491.tif 000007
【図６】
2019040491.tif 000008
【図７】
2019040491.tif 000009
【図８】
2019040491.tif 000010
【図９】
2019040491.tif 000011
【図１０】
2019040491.tif 000012
【図１１】
2019040491.tif 000013